(57)【特許請求の範囲】
【請求項１】
少なくとも1人のユーザのためのネットワーク基準のセットを判断するステップと、
ネットワーク基準の前記セットの判断に少なくとも部分的に基づいて前記少なくとも1人のユーザに1つまたは複数のキャリアを割り振るステップと、
無線ネットワークコントローラメッセージと高速共有制御チャネル命令とを介して、前記少なくとも1人のユーザに、前記1つまたは複数の割り振られたキャリアを通知するステップと
を有し、
前記高速共有制御チャネル命令を使用して前記少なくとも1人のユーザに通知された前記1つまたは複数の割り振られたキャリアは、前記無線ネットワークコントローラメッセージを使用して前記少なくとも1人のユーザに通知されている前記1つまたは複数の割り振られたキャリアによって制限されることを特徴とするアップリンクキャリア割振りのための方法。
【請求項２】
ネットワーク基準の前記セットが、セクタ負荷データのセットまたはチャネル状態データのセットのうちの少なくとも1つを具備することを特徴とする請求項１に記載の方法。
【請求項３】
前記1つまたは複数のキャリアを割り振るステップが動的であることを特徴とする請求項１に記載の方法。
【請求項４】
前記1つまたは複数のキャリアを割り振るステップが、所定のしきい値を上回るデータ送信要件を有する前記少なくとも1人のユーザを別々のキャリアに分離するステップと、各々に1つのキャリアを割り振るステップとを有することを特徴とする請求項１に記載の方法。
【請求項５】
前記1つまたは複数のキャリアを割り振るステップは、シングルユーザが、所定のしきい値を上回るデータ送信要件とヘッドルーム値とを有する場合、前記シングルユーザに複数のキャリアを割り振るステップをさらに有し、前記ヘッドルーム値が、信号完全性または経路損失のうちの少なくとも1つによって判断されることを特徴とする請求項１に記載の方法。
【請求項６】
前記1つまたは複数のキャリアが、自律的にまたは動的にのうちの少なくともいずれかで不連続送信モードに入ること、あるいは自律的にまたは動的にのうちの少なくともいずれかで不連続送信モードから出ることのうちの少なくともいずれかを行うことを可能にするステップをさらに有することを特徴とする請求項１に記載の方法。
【請求項７】
高速共有制御チャネル命令を介して不連続送信モードに入ること、または高速共有制御チャネル命令を介して不連続送信モードから出ることのうちの少なくともいずれかを行うように前記1つまたは複数のキャリアに指令するステップをさらに有することを特徴とする請求項１に記載の方法。
【請求項８】
アップリンクキャリアを割り振るように構成された少なくとも1つのプロセッサを有するワイヤレス通信装置であって、
セクタ負荷データのセットまたはチャネル状態データのセットのうちの少なくとも1つを具備するネットワーク基準のセットを判断するための第1のモジュールと、
ネットワーク基準の前記セットの判断に少なくとも部分的に基づいて少なくとも1つのモバイルデバイスに少なくとも1つのアップリンクキャリアを動的に割り振るための第2のモジュールと、
無線ネットワークコントローラメッセージのセットまたは高速共有制御チャネル命令のセットのうちの少なくとも1つを介して前記少なくとも1つのモバイルデバイスにアップリンクキャリア割振りを通知するための第3のモジュールと
を有し、
前記高速共有制御チャネル命令を使用して前記少なくとも1人のユーザに通知された前記1つまたは複数の割り振られたキャリアは、前記無線ネットワークコントローラメッセージを使用して前記少なくとも1人のユーザに通知されている前記1つまたは複数の割り振られたキャリアによって制限されることを特徴とするワイヤレス通信装置。
【請求項９】
前記少なくとも1つのアップリンクキャリアが自律的に不連続送信モードに入り、不連続送信モードから出ることを可能にすること、または不連続送信モードに入り、不連続送信モードから出るように前記少なくとも1つのアップリンクキャリアに指令することのうちの少なくともいずれかのための第4のモジュールをさらに有することを特徴とする請求項８に記載のワイヤレス通信装置。
【請求項１０】
セクタ負荷データのセットまたはチャネル状態データのセットのうちの少なくとも1つを具備するネットワーク基準のセットを判断することをコンピュータに行わせるためのコードの第1のセットと、
ネットワーク基準の前記セットの判断に少なくとも部分的に基づいて少なくとも1人のユーザにアップリンクキャリアのセットを割り振ることを前記コンピュータに行わせるためのコードの第2のセットと、
無線ネットワークコントローラメッセージのセットまたは高速共有制御チャネル命令のセットのうちの少なくとも1つを介して前記少なくとも1人のユーザに、割り振られたキャリアの前記セットを通知することを前記コンピュータに行わせるためのコードの第3のセットと
を有し、
前記高速共有制御チャネル命令を使用して前記少なくとも1人のユーザに通知された前記1つまたは複数の割り振られたキャリアは、前記無線ネットワークコントローラメッセージを使用して前記少なくとも1人のユーザに通知されている前記1つまたは複数の割り振られたキャリアによって制限されることを特徴するコンピュータ可読記録媒体。
【請求項１１】
アップリンクキャリアの前記セットが自律的に不連続送信モードに入り、不連続送信モードから出ることを可能にすること、または不連続送信モードに入り、不連続送信モードから出るようにアップリンクキャリアの前記セットに命令することのうちの少なくともいずれかをコンピュータに行わせるためのコードの第4のセットをさらに有することを特徴とする請求項１０に記載のコンピュータ可読記録媒体。
【請求項１２】
チャネル状態データの前記セットが、前記少なくとも1人のユーザの利用可能なヘッドルームに関するデータを具備することを特徴とする請求項１０に記載のコンピュータ可読記録媒体。
【請求項１３】
コードの前記第2のセットが、所定のしきい値を上回るデータ送信要件を有するユーザを異なるセクタに分離することと、各ユーザに1つのキャリアを割り振ることとを前記コンピュータにさらに行わせることを特徴とする請求項１０に記載のコンピュータ可読記録媒体。
【請求項１４】
コードの前記第2のセットは、ユーザが、所定のしきい値を上回るデータ送信要件とヘッドルーム値とを有する場合、前記ユーザに複数のキャリアを割り振ることを前記コンピュータにさらに行わせることを特徴とする請求項１０に記載のコンピュータ可読記録媒体。
【請求項１５】
少なくとも1人のユーザに関係するネットワーク基準のセットを判断するための手段と、
ネットワーク基準の前記セットの判断に基づいて前記少なくとも1人のユーザのための少なくとも1つのアップリンクキャリアを割り振るための手段と、
無線ネットワークコントローラメッセージと高速共有制御チャネル命令とを介して、前記少なくとも1人のユーザに、前記1つまたは複数の割り振られたキャリアを通知するための手段と
を有し、
前記高速共有制御チャネル命令を使用して前記少なくとも1人のユーザに通知された前記1つまたは複数の割り振られたキャリアは、前記無線ネットワークコントローラメッセージを使用して前記少なくとも1人のユーザに通知されている前記1つまたは複数の割り振られたキャリアによって制限されることを特徴とする装置。
【請求項１６】
ネットワーク基準の前記セットが、セクタ負荷データのセットまたはチャネル状態データのセットのうちの少なくとも1つを具備することを特徴とする請求項１５に記載の装置。
【請求項１７】
前記少なくとも1人のユーザのための少なくとも1つのアップリンクキャリアを割り振るための前記手段は、ユーザが、所定のしきい値を上回るデータ送信要件を有する場合、前記ユーザを別々のセクタに分離するための手段と、分離されたユーザに1つのキャリアを割り振るための手段とをさらに有することを特徴とする請求項１５に記載の装置。
【請求項１８】
前記少なくとも1人のユーザのための少なくとも1つのアップリンクキャリアを割り振るための前記手段は、前記少なくとも1人のユーザが、所定のしきい値を上回るデータ送信要件または所定のしきい値を上回るヘッドルーム値のうちの少なくとも1つを有する場合、前記少なくとも1人のユーザに複数のキャリアを割り振るための手段をさらに有することを特徴とする請求項１５に記載の装置。
【請求項１９】
前記少なくとも1つのアップリンクキャリアが自律的に不連続送信モードに入ること、または不連続送信モードから出ることのうちの少なくともいずれかを行うことを可能にするための手段をさらに有することを特徴とする請求項１５に記載の装置。
【請求項２０】
高速共有制御チャネル命令を介して不連続送信モードに入ること、または不連続送信モードから出ることのうちの少なくともいずれかを行うように前記少なくとも1つのアップリンクキャリアに指令するための手段をさらに有することを特徴とする請求項１５に記載の装置。
【請求項２１】
ネットワーク基準のセットを判断する基準構成要素と、
前記基準構成要素によって判断されたネットワーク基準の前記セットの判断に少なくとも部分的に基づいて1つまたは複数のモバイルデバイスに少なくとも1つのアップリンクキャリアを割り当てる動的割振り構成要素と
を有し、
前記動的割振り構成要素は、無線ネットワークコントローラメッセージおよび高速共有制御チャネル命令を介してキャリア割当てを通信する無線ネットワークコントローラメッセージング構成要素を更に具備し、
前記高速共有制御チャネル命令を使用して、前記1つまたは複数のモバイルデバイスに通信された前記少なくとも1つの割り振られたアップリンクキャリアは、前記無線ネットワークコントローラメッセージを使用して前記1つまたは複数のモバイルデバイスに通信されている前記少なくとも1つのキャリアによって制限されていることを特徴とする装置。
【請求項２２】
前記動的割振り構成要素は、前記1つまたは複数のモバイルデバイスが、所定のしきい値を上回るデータ送信要件を有する場合、前記1つまたは複数のモバイルデバイスを別々のセクタに分割することを特徴とする請求項２１に記載の装置。
【請求項２３】
前記動的割振り構成要素が、前記1つまたは複数のモバイルデバイスの各々に1つのキャリアを割り当てることを特徴とする請求項２２に記載の装置。
【請求項２４】
前記動的割振り構成要素は、前記1つまたは複数のモバイルデバイスが、所定のトリガのセットを上回るデータ送信要件またはヘッドルーム値のうちの少なくとも1つを有する場合、前記1つまたは複数のモバイルデバイスに複数のキャリアを割り当てることを特徴とする請求項２１に記載の装置。
【請求項２５】
ネットワーク基準の前記セットが、セクタ負荷データのセットまたはチャネル状態データのセットのうちの少なくとも1つを具備することを特徴とする請求項２１に記載の装置。
【請求項２６】
前記動的割振り構成要素が、物理レイヤ信号を介してキャリア割当てを通信する物理レイヤメッセージング構成要素をさらに有することを特徴とする請求項２１に記載の装置。
【請求項２７】
前記動的割振り構成要素は、前記少なくとも1つのアップリンクキャリアが自律的に不連続送信モードに入るか、または不連続送信モードから出ることを可能にすること、あるいは不連続送信モードに入るか、または不連続送信モードから出るように前記少なくとも1つのアップリンクキャリアに命令することのうちの少なくともいずれかを行うことを特徴とする請求項２１に記載の装置。
【発明の詳細な説明】
【技術分野】
【０００１】
本態様は、ワイヤレス通信デバイスに関し、より詳細には、高速アップリンクパケットアクセスユーザへのアップリンク上での1つまたは複数のキャリアの割振りおよび/または割振り解除のためのシステムおよび方法に関する。
【背景技術】
【０００２】
ワイヤレス通信システムは、様々なタイプの通信を提供するために広く展開されており、たとえば、ボイスおよび/またはデータをそのようなワイヤレス通信システムを介して提供することができる。典型的なワイヤレス通信システムまたはネットワークは、1つまたは複数の共有リソース(たとえば、帯域幅、送信電力など)へのアクセスを複数のユーザに提供することができる。たとえば、システムは、周波数分割多重(FDM)、時分割多重(TDM)、符号分割多重(CDM)、直交周波数分割多重(OFDM)などの様々な多元接続技法を使用することができる。
【０００３】
一般に、ワイヤレス多元接続通信システムは、複数のモバイルデバイスのための通信を同時にサポートすることができる。各モバイルデバイスは、順方向リンクおよび逆方向リンク上での送信を介して1つまたは複数の基地局と通信することができる。順方向リンク(またはダウンリンク)は基地局からモバイルデバイスへの通信リンクを指し、逆方向リンク(またはアップリンク)はモバイルデバイスから基地局への通信リンクを指す。
【発明の概要】
【発明が解決しようとする課題】
【０００４】
ネットワークカバレージとサービス品質との最適化は、ワイヤレスネットワーク事業者にとっての不変の目標である。複数のキャリア上で送信することは、ユーザに実質的な利益を与えることができる。したがって、高速アップリンクパケットアクセスユーザのための1つまたは複数のキャリアの割振りおよび/または割振り解除のための効率的で有効な機構を有することが望ましいであろう。
【課題を解決するための手段】
【０００５】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００６】
1つまたは複数の態様およびその対応する開示に従って、アップリンクキャリア割振りに関する様々な態様について説明する。関係する態様によれば、アップリンクキャリア割振りのための方法が提供される。本方法は、少なくとも1人のユーザのためのネットワーク基準のセットを判断するステップと、ネットワーク基準の上記セットに少なくとも部分的に基づいて上記少なくとも1人のユーザに1つまたは複数のキャリアを割り振るステップとを含む。
【０００７】
別の態様は、アップリンクキャリアを割り振るように構成された少なくとも1つのプロセッサを有するワイヤレス通信装置に関する。本ワイヤレス通信装置は、セクタ負荷データのセットまたはチャネル状態データのセットのうちの少なくとも1つを含むネットワーク基準のセットを判断するための第1のモジュールと、ネットワーク基準の上記セットに少なくとも部分的に基づいて少なくとも1つのモバイルデバイスに少なくとも1つのアップリンクキャリアを動的に割り振るための第2のモジュールと、無線ネットワークコントローラメッセージのセットまたは高速共有制御チャネル命令のセットのうちの少なくとも1つを介して上記少なくとも1つのモバイルデバイスに上記少なくとも1つのキャリアの上記割振りを通知するための第3のモジュールとを含む。
【０００８】
さらに別の態様は、セクタ負荷データのセットまたはチャネル状態データのセットのうちの少なくとも1つを含むネットワーク基準のセットを判断することをコンピュータに行わせるためのコードの第1のセットと、ネットワーク基準の上記セットに少なくとも部分的に基づいて少なくとも1人のユーザに少なくとも1つのアップリンクキャリアを割り振ることをコンピュータに行わせるためのコードの第2のセットと、無線ネットワークコントローラメッセージのセットまたは高速共有制御チャネル命令のセットのうちの少なくとも1つを介して上記少なくとも1人のユーザに上記少なくとも1つのキャリアの上記割振りを通知することをコンピュータに行わせるためのコードの第3のセットとを含むコンピュータ可読媒体を有することができるコンピュータプログラム製品に関する。
【０００９】
さらに別の態様は、少なくとも1人のユーザに関係するネットワーク基準のセットを判断するための手段と、ネットワーク基準の上記セットに基づいて上記少なくとも1人のユーザに少なくとも1つのアップリンクキャリアを割り振るための手段とを含む装置に関する。
【００１０】
その上、追加の態様は、ネットワーク基準のセットを判断する基準構成要素と、上記基準構成要素によって判断されたネットワーク基準の上記セットに少なくとも部分的に基づいて1つまたは複数のモバイルデバイスに少なくとも1つのアップリンクキャリアを割り当てる動的割振り構成要素とを含む装置に関する。
【００１１】
上記および関係する目的を達成するために、1つまたは複数の態様は、以下で十分に説明し、特に特許請求の範囲で指摘する特徴を含む。以下の説明および添付の図面に、1つまたは複数の態様のいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１２】
【図１】本明細書の一態様による例示的な多元接続ワイヤレス通信システムを示す図である。
【図２】本明細書の一態様による通信システムの概略ブロック図を示す図である。
【図３】本明細書の一態様による例示的なワイヤレス通信システムを示す図である。
【図４】本明細書の一態様による例示的なワイヤレス通信システムを示す図である。
【図５】本明細書の一態様による例示的な動的割振り構成要素を示す図である。
【図６】本明細書の一態様による例示的なブロック図を示す図である。
【図７】本明細書の一態様による、マルチキャリア高速アップリンクパケットアクセスシステムにおけるキャリア割振りのための例示的な方法を示す図である。
【図８】本明細書の一態様による、マルチキャリア高速アップリンクパケットアクセスシステムにおけるキャリア割振りのための例示的な方法を示す図である。
【図９】本明細書の1つまたは複数の特徴を自動化することを可能にするための人工知能(AI)構成要素を採用するシステムを示す図である。
【図１０】本明細書の一態様による、ワイヤレス通信システムにおけるアップリンクキャリア割振りを可能にするシステムの例示的なブロック図を示す図である。
【発明を実施するための形態】
【００１３】
次に、図面を参照しながら様々な態様について説明する。以下の記述では、説明の目的で、1つまたは複数の態様の完全な理解を与えるために多数の具体的な詳細を記載する。ただし、そのような態様は、これらの具体的な詳細なしに実施できることは明らかであろう。
【００１４】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータとすることができるが、これらに限定されない。例として、コンピューティングデバイス上で実行されるアプリケーションと、そのコンピューティングデバイスの両方を構成要素とすることができる。1つまたは複数の構成要素がプロセスおよび/または実行スレッド内に常駐することができ、1つの構成要素を1つのコンピュータ上に配置し、および/または2つ以上のコンピュータ間に分散することができる。さらに、これらの構成要素は、様々なデータ構造を記憶している様々なコンピュータ可読媒体から実行することができる。これらの構成要素は、ローカルシステム、分散システム中の別の構成要素と対話する、および/または信号を介して他のシステムとインターネットなどのネットワーク上で対話する1つの構成要素からのデータなど、1つまたは複数のデータパケットを有する信号などによってローカルプロセスおよび/またはリモートプロセスを介して通信することができる。
【００１５】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、ワイヤレス端末と通信するために利用でき、アクセスポイント、ノードB、または何らかの他の用語で呼ばれることもある。
【００１６】
さらに、「または」という用語は、排他的な「または」ではなく、包括的な「または」を意味するものとする。すなわち、別段の規定がない限り、または文脈から明白でない限り、「XはAまたはBを使用する」という句は、自然な包括的置換のいずれかを意味するものとする。すなわち、「XはAまたはBを使用する」という句は、XがAを使用する場合、XがBを使用する場合、またはXがAとBの両方を使用する場合のいずれによっても満たされる。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００１７】
本明細書で説明する技法は、CDMA、TDMA、FDMA、OFDMA、SC-FDMAおよび他のシステムなど、様々なワイヤレス通信システムに使用できる。「システム」および「ネットワーク」という用語は、しばしば互換的に使用される。CDMAシステムは、UTRA(Universal Terrestrial Radio Access)、cdma2000などの無線技術を実装することができる。UTRAは、W-CDMA(Wideband-CDMA)およびCDMAの他の変形態を含む。さらに、cdma2000は、IS-2000、IS-95およびIS-856規格をカバーする。TDMAシステムは、GSM(Global System for Mobile Communications)などの無線技術を実装することができる。OFDMAシステムは、E-UTRA(Evolved UTRA)、UMB(Ultra Mobile Broadband)、IEEE802.11(Wi-Fi)、IEEE802.16(WiMAX)、IEEE802.20、Flash-OFDMなどの無線技術を実装することができる。UTRAおよびE-UTRAは、UMTS(Universal Mobile Telecommunication System)の一部である。3GPP LTE(Long Term Evolution)は、ダウンリンク上ではOFDMAを採用し、アップリンク上ではSC-FDMAを採用するE-UTRAを使用するUMTSのリリースである。UTRA、E-UTRA、UMTS、LTEおよびGSMは、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無資格スペクトル、802.xxワイヤレスLAN、BLUETOOTHおよび任意の他の短距離または長距離ワイヤレス通信技法をしばしば使用するピアツーピア(たとえば、モバイルツーモバイル)アドホックネットワークシステムをさらに含むことができる。
【００１８】
いくつかのデバイス、構成要素、モジュールなどを含むことができるシステムに関して、様々な態様または特徴を提示する。様々なシステムは、追加のデバイス、構成要素、モジュールなどを含んでもよく、および/または各図に関連して論じるデバイス、構成要素、モジュールなどのすべてを含まなくてもよいことを理解および諒解されたい。これらの手法の組合せを使用することもできる。
【００１９】
次に図1を参照すると、本明細書で提示する様々な実施形態によるワイヤレス通信システム100が示されている。システム100は、複数のアンテナグループを含むことができる基地局102を含む。たとえば、1つのアンテナグループはアンテナ104および106を含み、別のグループはアンテナ108および110を含み、さらなるグループはアンテナ112および114を含むことができる。アンテナグループごとに2つのアンテナが示されているが、グループごとにより多いまたはより少ないアンテナを利用することができる。基地局102は、さらに、送信機チェーンおよび受信機チェーンを含むことができ、送信機チェーンおよび受信機チェーンの各々は、当業者なら諒解するように、信号送信および受信に関連する複数の構成要素(たとえば、プロセッサ、変調器、マルチプレクサ、復調器、デマルチプレクサ、アンテナなど)を含むことができる。
【００２０】
基地局102は、モバイルデバイス116およびモバイルデバイス122など1つまたは複数のモバイルデバイスと通信することができるが、基地局102は、モバイルデバイス116および122と同様の実質的にいかなる数のモバイルデバイスとも通信することができることを諒解されたい。モバイルデバイス116および122は、たとえば、セルラー電話、スマートフォン、ラップトップ、ハンドヘルド通信デバイス、ハンドヘルドコンピューティングデバイス、衛星ラジオ、全地球測位システム、PDA、および/またはワイヤレス通信システム100を介して通信するための他の適切なデバイスとすることができる。図示のように、モバイルデバイス116は、アンテナ112および114と通信しており、アンテナ112および114は、順方向リンク118を介して情報をモバイルデバイス116に送信し、逆方向リンク120を介してモバイルデバイス116から情報を受信する。さらに、モバイルデバイス122は、アンテナ104および106と通信しており、アンテナ104および106は、順方向リンク124を介して情報をモバイルデバイス122に送信し、逆方向リンク126を介してモバイルデバイス122から情報を受信する。周波数分割複信(FDD)システムでは、たとえば、順方向リンク118は、逆方向リンク120によって使用される周波数帯域とは異なる周波数帯域を利用し、順方向リンク124は、逆方向リンク126によって採用される周波数帯域とは異なる周波数帯域を採用することができる。さらに、時分割複信(TDD)システムでは、順方向リンク118および逆方向リンク120は共通の周波数帯域を利用し、順方向リンク124および逆方向リンク126は共通の周波数帯域を利用することができる。
【００２１】
アンテナの各グループおよび/またはそれらが通信するように指定されたエリアを、基地局102のセクタと呼ぶことができる。たとえば、基地局102によってカバーされるエリアのセクタ中のモバイルデバイスに通信するようにアンテナグループを設計することができる。順方向リンク118および124を介した通信では、基地局102の送信アンテナは、モバイルデバイス116および122についての順方向リンク118および124の信号対雑音比を向上させるためにビームフォーミングを利用することができる。これは、たとえば、信号を所望の方向にステアリングするためにプリコーダを使用することによって行うことができる。さらに、基地局102が、関連するカバレージ中にランダムに散在するモバイルデバイス116および122に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。さらに、モバイルデバイス116および122は、一例ではピアツーピアまたはアドホック技術を使用して互いに直接通信することができる。
【００２２】
一例によれば、システム100は多入力多出力(MIMO)通信システムとすることができる。さらに、システム100は、FDD、TDDなど、通信チャネル(たとえば、順方向リンク、逆方向リンクなど)を分割する実質的にどんなタイプの複信技法でも利用することができる。その上、システム100は複数ベアラシステムとすることができる。ベアラは、定義された容量、遅延、ビット誤り率などの情報経路とすることができる。モバイルデバイス116および122は、それぞれ、1つまたは複数の無線ベアラにサービスすることができる。モバイルデバイス116および122は、1つまたは複数の無線ベアラにわたってアップリンクリソースを管理および/または共有するために、アップリンクレート制御機構を採用することができる。一例では、モバイルデバイス116および122は、それらの無線ベアラにサービスし、アップリンクレート制限をエンフォースするために、トークンバケット機構を利用することができる。
【００２３】
例示によれば、各ベアラは、関連する優先ビットレート(PBR)、最大ビットレート(MBR)、および保証ビットレート(GBR)を有することができる。モバイルデバイス116および122は、関連するビットレート値に少なくとも部分的に基づいて無線ベアラにサービスすることができる。また、それらのビットレート値は、各ベアラのためのPBRおよびMBRを考慮したキューサイズを計算するために採用され得る。キューサイズは、モバイルデバイス116および122によって基地局102に送信されるアップリンクリソース要求中に含まれ得る。基地局102は、モバイルデバイス116および122のために、それぞれのアップリンク要求と、含まれるキューサイズとに基づいて、アップリンクリソースをスケジュールすることができる。
【００２４】
図2は、MIMOシステム200における送信機システム210(アクセスポイントとしても知られる)および受信機システム250(アクセス端末としても知られる)のブロック図である。送信機システム210において、いくつかのデータストリームのトラフィックデータがデータソース212から送信機(TX)データプロセッサ214に供給される。
【００２５】
一実施形態では、各データストリームは、それぞれの送信アンテナを介して送信される。TXデータプロセッサ214は、各データストリーム用に選択された特定の符号化方式に基づいて、そのデータストリームのトラフィックデータをフォーマットし、符号化し、インターリーブして、符号化データを与える。
【００２６】
各データストリームの符号化データは、OFDM技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、そのデータストリーム用に選択された特定の変調方式(たとえば、BPSK、QSPK、M-PSK、またはM-QAM)に基づいて変調(すなわち、シンボルマッピング)されて、変調シンボルが与えられる。各データストリームのデータレート、符号化、および変調は、プロセッサ230によって実行される命令によって判断され得る。
【００２７】
次いで、すべてのデータストリームの変調シンボルがTX MIMOプロセッサ220に供給され、TX MIMOプロセッサ220はさらに(たとえば、OFDM用に)その変調シンボルを処理することができる。次いで、TX MIMOプロセッサ220は、NT個の変調シンボルストリームをNT個の送信機(TMTR)222a〜222tに供給する。いくつかの実施形態では、TX MIMOプロセッサ220は、データストリームのシンボルと、シンボルの送信元のアンテナとにビームフォーミング重みを付加する。
【００２８】
各送信機222は、それぞれのシンボルストリームを受信し、処理して、1つまたは複数のアナログ信号を与え、さらに、それらのアナログ信号を調整(たとえば、増幅、フィルタ処理、およびアップコンバート)して、MIMOチャネルを介して送信するのに適した変調信号を与える。次いで、送信機222a〜222tからのNT個の変調信号は、それぞれ、NT個のアンテナ224a〜224tから送信される。
【００２９】
受信機システム250において、送信された変調信号はNR個のアンテナ252a〜252rによって受信され、各アンテナ252からの受信信号は、それぞれの受信機(RCVR)254a〜254rに供給される。各トランシーバ254は、それぞれの受信信号を調整(たとえば、フィルタ処理、増幅、およびダウンコンバート)し、調整された信号をデジタル化して、サンプルを与え、さらにそれらのサンプルを処理して、対応する「受信」シンボルストリームを与える。
【００３０】
次いで、RXデータプロセッサ260は、特定の受信機処理技法に基づいてNR個の受信機254からNR個の受信シンボルストリームを受信し、処理して、NT個の「検出」シンボルストリームを与える。次いで、RXデータプロセッサ260は、各検出シンボルストリームを復調し、デインターリーブし、復号して、データストリームのトラフィックデータを復元する。RXデータプロセッサ260による処理は、送信機システム210におけるTX MIMOプロセッサ220およびTXデータプロセッサ214によって実行される処理を補足するものである。
【００３１】
プロセッサ270は、どのプリコーディング行列を使用すべきかを周期的に判断する(後述)。プロセッサ270は、行列インデックス部分とランク値部分とを含む逆方向リンクメッセージを作成する。
【００３２】
逆方向リンクメッセージは、通信リンクおよび/または受信データストリームに関する様々なタイプの情報を含むことができる。次いで、逆方向リンクメッセージは、データソース236からいくつかのデータストリームのトラフィックデータをも受信するTXデータプロセッサ238によって処理され、変調器280によって変調され、送信機254a〜254rによって調整され、送信機システム210に戻される。
【００３３】
送信機システム210において、受信機システム250からの変調信号は、アンテナ224によって受信され、受信機222によって調整され、復調器240によって復調され、RXデータプロセッサ242によって処理されて、受信機システム250によって送信された逆方向リンクメッセージが抽出される。次いで、プロセッサ230は、ビームフォーミング重みを判断するためにどのプリコーディング行列を使用すべきかを判断し、次いで、抽出されたメッセージを処理する。
【００３４】
図3に、様々な開示する実施形態および態様を実装することができる、何人かのユーザをサポートするように構成された例示的なワイヤレス通信システム300を示す。図3に示すように、例として、システム300は、たとえばマクロセル302a〜302gなど、複数のセル302のための通信を行い、各セルは、対応するアクセスポイント(AP)304(AP304a〜304gなど)によってサービスされる。各セルは、さらに、(たとえば、1つまたは複数の周波数を処理するために)1つまたは複数のセクタに分割され得る。互換的にユーザ機器(UE)または移動局としても知られるAT306a〜306kを含む様々なアクセス端末(AT)306がシステム全体に分散される。各AT306は、たとえば、そのATがアクティブであるかどうか、およびそのATがソフトハンドオフ中であるかどうかに応じて、所与の時点において順方向リンク(FL)および/または逆方向リンク(RL)上の1つまたは複数のAP304と通信することができる。ワイヤレス通信システム300は広い地理的領域にわたってサービスを提供することができ、たとえば、マクロセル302a〜302gは近傍の数ブロックをカバーすることができる。
【００３５】
本発明の1つまたは複数の態様によれば、(以下でさらに詳細に説明する)無線ネットワークコントローラが、1つまたは複数のAP304の制御を行うことができる。たとえば、図3中のAP304は無線ネットワークコントローラ(RNC)に接続され得、RNCは、無線リソース管理と、モビリティ管理機能の何らかの部分とを実行し、また、ユーザデータがAT306との間で送信される前に暗号化が行われるポイントである。RNCは、メディアゲートウェイ(MGW)を通して回線交換コアネットワーク(Circuit Switched Core Network)に接続し、パケット交換コアネットワーク(Packet Switched Core Network)中のサービングGPRSサポートノード(SGSN)に接続することができる(後述)。
【００３６】
さらに、RNCは、変動するチャネルおよび負荷状態に反応するのに有用であり得る動的キャリア割振りを行うことができる。特に、アップリンク上で複数のキャリアを使用することは、限定はしないが、周波数ダイバーシティ利得、Eb/No利得、および/またはより大きい帯域幅によるより高いデータレートを含む、複数の利点を有することがある。ただし、複数のチャネルを使用することは、パイロットおよび制御チャネル上などで、余分のシグナリングオーバーヘッドをもたらすこともある。RNCは、負荷考慮事項および/またはチャネル考慮事項に少なくとも部分的に基づいて動的チャネル割振りを行うことができる。たとえば、2人以上のフルバッファタイプユーザがいる場合は、ユーザを異なるセクタに分離し、各ユーザに1つのキャリアを割り振ることができる。この例では、フルバッファユーザは、大量のデータをもつユーザとして特徴づけられ得、複数のキャリアに関連するオーバーヘッドは、各ユーザへの残留損失を生じ得る。前の例を続けると、シングルユーザの場合は、RNCは、シングルユーザがライズオーバサーマル(RoT)を満たすのに十分なデータとヘッドルームとを有するとき、複数のキャリアを割り振ることができる。マルチセルシステムでは、RoTは、セル内ユーザ(たとえば、当該のユーザ)およびセル間干渉からの結合された電力によって満たされる。ヘッドルーム(たとえば、ヘッドルーム値)は、経路損失、信号完全性(SI)などを介して測定され得る。1つまたは複数のキャリア上で送信を動的にゲートすることによりオーバーヘッド負担が軽減され得る場合、RoTを満たす基準は緩和され得る。さらに、ユーザデータが別の側面であり得る。たとえば、ユーザが妥当なデータ量を有し、遅延が重要である場合のみ、2つのキャリアが必要であり得る。
【００３７】
一般に、長期アップリンクキャリア割振りは、レイヤ3(L3)メッセージを介してRNCによって処理される。チャネル状態と、負荷考慮事項と、データ量との変化により速く反応するために、より動的なキャリア割振りが望ましい場合がある。たとえば、動的キャリア割振りはレイヤ1(L1)スケジューリングによって達成され得る。その上、パイロットチャネルオーバーヘッドをゲートオフするために、各キャリアは、自律的におよび/または動的に不連続送信モード(DTX)に入り、DTXから出ることができる。追加または代替として、AP304は、高速共有制御チャネル(HS-SCCH)命令によって、DTXモードに入るかまたはDTXモードから出るように、AT306に指示するか、AT306に命令するか、AT306がそれを行うことを可能にするか、または場合によってはAT306に指令することができる。上記は、ほんのいくつかの例を表しており、当業者は、追加の実装形態および実施形態を容易に特定することが可能であることを諒解されたい。
【００３８】
次に図4を参照すると、本発明の一態様による例示的なワイヤレス通信システムが示されている。ワイヤレス通信システム400は、無線ネットワークコントローラ(RNC)402と、基地局(たとえば、アクセスポイント、eノードBなど)404のセットと、モバイルデバイス406(たとえば、アクセス端末、ユーザ機器など)のセットとを含む。動作中、RNC402は、複数の接続された基地局404の制御を行うことができる。前述のように、RNC402は、無線リソース管理と、モビリティ管理機能の少なくとも一部分とを実行し、ユーザデータがモバイルデバイス406との間で送信される前のユーザデータの暗号化を担当することができる。さらに、RNC402は、メディアゲートウェイ(MGW)を通して回線交換コアネットワークに接続し、パケット交換コアネットワーク中のサービングGPRSサポートノード(SGSN)に接続することができる。
【００３９】
本例では、RNC402は、基準構成要素408と動的割振り構成要素410とを含むことができる。動的割振り構成要素410は、基準構成要素408によって得られた1つまたは複数の基準に少なくとも部分的に基づいて、マルチキャリア高速アップリンクパケットアクセス(HSUPA)システムにおいてモバイルデバイス406が使用するためのキャリアを動的に割り振ることができる。複数のキャリアを使用してアップリンク上で送信することは、ユーザに実質的な利益を与えることができるが、各キャリアに関連する余分のパイロットオーバーヘッドがあり得、一般に、モバイルデバイス406の最大送信電力は、キャリアの数にかかわらず同じレベルに制限される。ネットワークの観点から、あるセクタ中に複数のフルバッファタイプモバイルデバイス406ユーザがいる場合は、すべてのフルバッファタイプユーザを同じセクタ中で維持することとは反対に、フルバッファタイプユーザを異なるキャリアに分離するか、分割するか、または場合によっては区別することが有益であり得る。
【００４０】
基準構成要素408は、負荷構成要素412とチャネル構成要素414とを含むことができる。たとえば、動的割振り構成要素410は、負荷構成要素412によって得られたデータに少なくとも部分的に基づいてキャリアを割り振ることができる。負荷構成要素412は、フルバッファタイプモバイルデバイス406ユーザの量を判断することができ、ただし、フルバッファタイプは、しきい値Xを上回るデータ量(たとえば、データ要件、データ送信要件など)を有するモバイルデバイス406を意味する。負荷構成要素412が、2人以上のフルバッファタイプユーザがいると判断した場合、動的割振り構成要素410は、それらのうちの1人のみに2つのキャリアを割り当てる。逆に、しきい値Xを下回るデータ量(たとえば、あまりに少ないデータ)を有するモバイルデバイス406には、2つのキャリアを割り当てない。
【００４１】
さらに、動的割振り構成要素410は、チャネル構成要素414によって得られたデータに少なくとも部分的に基づいてキャリア(たとえば、キャリア割当て)を割り振ることができる。チャネル構成要素414は、測定報告によってモバイルデバイス406の経路損失値(たとえば、経路損失)を判断することができる。追加または代替として、基地局404は、RNC402から、または媒体アクセス制御(MAC)レイヤスケジューリング情報フィードバック中に含まれるモバイルデバイス406のユーザヘッドルーム情報のセットに基づく推測によって、モバイルデバイス406の経路損失を収集するか、得るか、または場合によっては判断することができる。動的割振り構成要素410は、ユーザヘッドルームデータに基づいてモバイルデバイス406に追加のキャリアを割り振ることができ、ただし、ユーザヘッドルームは、モバイルデバイス406の最大電力に対する送信パイロットレベルの比である。1つまたは複数のモバイルデバイス406がしきい値(たとえば、トリガ)Yを上回るUEヘッドルームを有する場合、動的割振り構成要素410は、それらのモバイルデバイス406に追加のキャリアを割り当てることができる。一般に、モバイルデバイス406に割り当てられた各追加のキャリアについて、モバイルデバイス406は、各キャリアのためのパイロット信号を送信しなければならないことの追加のオーバーヘッドコストを収集する。したがって、モバイルデバイス406が、追加のパイロット信号を送信するために必要とされるUEヘッドルーム(たとえば、電力)を有しない場合、動的割振り構成要素410は、モバイルデバイス406に追加のキャリアを割り当てない。
【００４２】
追加のキャリアを割り当てる決定は、(以下でさらに詳細に説明する)長期キャリア割振り/割振り解除のためのRNC402メッセージを介して、および/またはより高速なキャリア活動化/非活動化のための高速共有制御チャネル(HS-SCCH)命令によって、モバイルデバイス406に通信され得る。
【００４３】
図5に、本発明の一態様による例示的な動的割振り構成要素410を示す。前述のように、動的割振り構成要素410は、限定はしないが、UEヘッドルーム(たとえば、利用可能なヘッドルーム)、セクタ負荷などを含む、基準のセットに少なくとも部分的に基づいて、モバイルデバイスに追加のアップリンクキャリアを割り当てることができる。動的割振り構成要素410は、無線ネットワークコントローラメッセージング構成要素502と物理レイヤメッセージング構成要素504とを含むことができる。
【００４４】
無線ネットワークコントローラ(RNC)メッセージング構成要素502は、RNCメッセージ(たとえば、レイヤ3メッセージ、L3メッセージなど)を介してモバイルデバイスへの追加のキャリアの割振りまたは割振り解除を示すメッセージを送信するために使用され得る。追加または代替として、物理レイヤメッセージング構成要素504は、高速共有制御チャネル(HS-SCCH)命令(たとえば、レイヤ1シグナリングまたはメッセージング、L1信号など)を介してモバイルデバイスへの追加のキャリアの割振りまたは割振り解除を示すメッセージを送信するために使用され得る。動的割振り構成要素410は、RNCメッセージング構成要素502を介して長期アップリンクキャリア割振りを処理し、より動的なキャリア割振りのために物理レイヤメッセージング構成要素504を採用する。たとえば、物理レイヤメッセージング構成要素504は、チャネル、負荷、および/またはデータ量のより速い変化が望まれるときに使用され得る。一方、レイヤ3メッセージは、比較的より遅く、より安定したメッセージング機構を与える。
【００４５】
RNCメッセージング構成要素502と物理レイヤメッセージング構成要素504との間には範囲の差があることを諒解されたい。物理レイヤメッセージング構成要素504は、RNCメッセージング構成要素502の上で動作し、RNCメッセージング構成要素502が前に割り振ったものによって制限される。たとえば、RNCメッセージングを介してモバイルデバイスにただ1つのキャリアを割り当てた場合は、RNCメッセージング構成要素502を介して追加のキャリアを割り当てていないので、物理レイヤメッセージング構成要素504は、追加のキャリアを割り振ることも、割振り解除することもできない。
【００４６】
次に図6を参照すると、本発明の一態様による例示的なブロック図が示されている。ブロック図600は、たとえば、ボイス通信において採用されるデータ構成を示し得る。この例では、データ構成は8つのスロットを含んでおり、スロット1〜6およびスロット8は空である。言い換えれば、ユーザは、602においてスロット7中にのみアクティブである。一般に、ユーザは、スロット7中で602においてのみアクティブであるにもかかわらず、依然として各スロット中でパイロット信号を送信する必要がある。パイロット信号を常に送信することはユーザに不要なオーバーヘッドを負わせることが諒解できよう。
【００４７】
効率を高めるために、パイロット信号をゲートオフすることが望ましい場合がある。これは、各キャリアが自律的におよび/または動的に不連続送信モード(DTX)に入り、DTXから出ることを可能にすることによって、達成され得る。したがって、ユーザは、非アクティブであるにもかかわらずパイロット信号を常に送信するわけではないことになる。追加または代替として、キャリアは、レイヤ1(たとえば、物理チャネル、HS-SCCH)命令を介してDTXに入るか、またはDTXから出るための指令を受信することができる。
【００４８】
上記で説明した例示的なシステムに鑑みて、開示する主題に従って実装され得る方法は、図7〜図8のフローチャートを参照すればより良く諒解されよう。説明を簡単にするために、方法を一連のブロックとして図示および説明するが、いくつかのブロックは本明細書で図示および説明する順序とは異なる順序で、および/または他のブロックと同時に、行うことができるので、請求する主題はブロックの順序によって限定されないことを理解および諒解されたい。その上、図示するブロックは、すべての可能なステップを表すわけではなく、以下で説明する方法を実装するために、図示するすべてのブロックが必要とされるわけではないことがある。
【００４９】
図7に、本発明の一態様による、マルチキャリア高速アップリンクパケットアクセスシステムにおけるキャリア割振りのための例示的な方法を示す。ステップ702において、1つまたは複数のセクタ負荷状態を判断する。たとえば、あるセクタ中のフルバッファタイプユーザの数に関する判断を行うことができ、ただし、フルバッファタイプユーザは、所定のしきい値(たとえば、トリガ)を上回るデータ量を有するユーザである。
【００５０】
ステップ704において、1つまたは複数のチャネル考慮事項を判断する。たとえば、信号干渉または経路損失のいずれかに基づいてユーザのための利用可能なヘッドルームの量を判断することができる。ユーザの経路損失は、測定報告を介して無線ネットワークコントローラ(RNC)において、および/または媒体アクセス制御(MAC)レイヤスケジューリング情報フィードバック中に含まれるユーザのヘッドルーム情報からの推測を介してアクセスポイント(AP)において、判断され得る。
【００５１】
ステップ706において、上記セクタ負荷および/または上記チャネル考慮事項に少なくとも部分的に基づいて1人または複数のユーザにキャリアを動的に割り振る。たとえば、あるセクタ中に3人以上のフルバッファタイプユーザがいる場合は、それらのユーザを異なるキャリアに分離し(たとえば、分ける、分割する、など)、各ユーザにシングルキャリアを割り当てることができる。さらに、シングルユーザの場合は、このユーザがライズオーバサーマル(RoT)を満たすのに十分なデータとヘッドルームとを有するときにのみ、複合的な(multiple)(たとえば、複数の(a plurality of))キャリアを割り振る。マルチセルシステムでは、RoTは、セル内ユーザおよびセル間干渉からの結合された電力によって満たされる。1つまたは複数のキャリア上で送信を動的にゲートすることによりオーバーヘッド負担が軽減され得る場合、RoTを満たす基準は緩和され得る。ステップ708において、関係するユーザにキャリアの割振りを通信する。前述のように、キャリア割振りの所望の速度と安定性とに少なくとも部分的に基づいてL3またはL1メッセージを介してその割振りを通信することができる。
【００５２】
図8に、本発明の一態様による、マルチキャリア高速アップリンクパケットアクセスシステムにおけるキャリア割振りのための例示的な方法を示す。ステップ802において、長期アップリンクキャリア割振り(たとえば、長期)が望まれるのか、または、より動的な(たとえば、高速)アップリンクキャリア割振りが望まれるのかに関する判断を行う。長期アップリンクキャリア割振りが望まれる場合は、ステップ804において、RNCメッセージング(たとえば、レイヤ1)を介してその割振りを送信する。RNCメッセージングは、長期アップリンクキャリア割振りを行う安定したメッセージングプラットフォームを与える。
【００５３】
より動的なアップリンクキャリア割振りが望まれる場合は、ステップ806において、物理チャネルシグナリング(たとえば、レイヤ1、HS-SCCH)を介してその割振りを通信する。一般に、物理チャネルシグナリングはRNCメッセージングよりも高速であり、したがって動的キャリア割振りにより適しており、動的キャリア割振りは、チャネルと、負荷と、データ量との変化により速く反応するために望ましい場合がある。
【００５４】
ステップ808において、ネットワークは、各キャリアが自律的にまたは動的に不連続送信モードに入り、不連続送信モードから出ることを可能にして、パイロットシグナリングをゲートオフし、それにより、(前述のように)ユーザに対するオーバーヘッド負担が軽減される。追加または代替として、基地局(たとえば、ノードB)が、HS-SCCH命令によって、DTXに入るか、またはDTXから出るようにUEに指令することができる。
【００５５】
図9に、本発明による1つまたは複数の特徴を自動化することを可能にする人工知能構成要素902を採用するシステム900を示す。本発明は、(たとえば、推測することに関して)その様々な態様を実行するために様々な人工知能(AI)ベースの方式を採用することができる。たとえば、自動分類器システムおよびプロセスによって、マルチキャリア高速アップリンクパケットアクセス(HSUPA)システムにおける動的キャリア割振りのためのプロセスが可能になり得る。
【００５６】
分類器は、入力属性ベクトルx=(x1,x2,x3,x7,xn)を、その入力がクラスに属するという信頼度にマッピングする関数であり、すなわち、f(x)=confidence(class)である。そのような分類は、(たとえば、分析ユーティリティおよびコストに因数分解する)確率的および/または統計ベースの分析を採用して、ユーザが自動的に実行されることを望むアクションを予知または推測することができる。
【００５７】
サポートベクターマシン(SVM)は、採用できる分類器の一例である。SVMは、非トリガイベントからトリガ基準を分けることを試みる超曲面を可能な入力の空間において発見することによって動作する。直観的に、これは、トレーニングデータに近いがトレーニングデータと同じではないデータをテストするための分類を正確にする。たとえば、単純ベイズ、ベイジアンネットワーク、決定ツリー、ニューラルネットワーク、ファジィ論理モデル、および様々なパターンの独立性を与える確率的分類モデルを含む、他の指向および無指向モデル分類手法が採用され得る。本明細書で使用する分類はまた、優先順位のモデルを開発するために利用される統計的回帰を含む。
【００５８】
本明細書から容易に諒解されるように、本発明は、(たとえば、一般的なトレーニングデータによって)明示的にトレーニングされ、ならびに(たとえば、ユーザビヘイビアの観察、外部情報の受信によって)暗黙的にトレーニングされた分類器を採用することができる。たとえば、SVMは、分類器コンストラクタおよび機能選択モジュール内で学習またはトレーニングフェーズを介して構成される。したがって、分類器を使用して、限定はしないが、前に推測されたスキーマをいつ更新または改良すべきかを所定の基準に従って判断することと、処理されているデータの種類(たとえば、会計と非会計、個人と非個人、...)、およびより強化された基準制御を何時に(たとえば、システムパフォーマンスにあまり影響が及ばない夜に)実装すべきかに基づいて、推測アルゴリズムの基準を強化することとを含む、いくつかの機能を自動的に学習し、実行することができる。
【００５９】
図10を参照すると、ワイヤレス通信システムにおけるアップリンクキャリア割振りを可能にするシステム1000の例示的なブロック図が示されている。たとえば、システム1000は、少なくとも部分的にモバイルデバイス、基地局などの内部に常駐することができる。システム1000は機能ブロックを含むものとして表されており、その機能ブロックは、プロセッサ、ソフトウェア、またはそれらの組合せ(たとえば、ファームウェア)によって実装される機能を表す機能ブロックとすることができることを諒解されたい。システム1000は、連携して動作することができるモジュールの論理グルーピング1002を含む。たとえば、論理グルーピング1002は、限定はしないが、チャネルデータ、負荷データ、データ量などを含む、ネットワーク基準のセットを判断するためのモジュール1004を含むことができる。さらに、論理グルーピング1002は、ネットワーク基準の上記セットに少なくとも部分的に基づいて1つまたは複数のモバイルデバイスにアップリンクキャリアを割り振るためのモジュール1006を含むことができる。その上、論理グルーピング1002は、モバイルデバイスに上記アップリンクキャリア割振りを通知するためのモジュール1008を含むことができる。前述のように、モバイルデバイスに上記アップリンクキャリア割振りを通知するためのモジュール1008は、無線ネットワークコントローラメッセージまたは物理チャネルシグナリングを介してそうすることができる。さらに、システム1000は、モジュール1004、1006、および1008に関連する機能を実行するための命令を保持するメモリ1010を含むことができる。メモリ1010の外部にあるものとして示されているが、モジュール1004、1006、および1008の1つまたは複数は、メモリ1010の内部に存在することができることを理解されたい。
【００６０】
本明細書で開示する実施形態に関して説明した様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装することもできる。さらに、少なくとも1つのプロセッサは、上記で説明したステップおよび/またはアクションの1つまたは複数を実行するように動作可能な1つまたは複数のモジュールを含むことができる。
【００６１】
さらに、本明細書で開示する態様に関して説明した方法またはアルゴリズムのステップおよび/またはアクションは、直接ハードウェアで実施するか、プロセッサによって実行されるソフトウェアモジュールで実施するか、またはその2つの組合せで実施することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合できる。代替として、記憶媒体はプロセッサに一体化することができる。さらに、いくつかの態様では、プロセッサおよび記憶媒体はASIC中に常駐することができる。さらに、ASICはユーザ端末中に常駐することができる。代替として、プロセッサおよび記憶媒体は、ユーザ端末中に個別構成要素として常駐することができる。さらに、いくつかの態様では、方法またはアルゴリズムのステップおよび/またはアクションは、コンピュータプログラム製品に組み込むことができる、機械可読媒体および/またはコンピュータ可読媒体上のコードおよび/または命令の1つまたは任意の組合せ、あるいはそのセットとして常駐することができる。
【００６２】
1つまたは複数の態様では、説明した機能は、ハードウェア、ソフトウェア、ファームウェア、またはそれらの組合せで実装することができる。ソフトウェアで実装する場合、機能は、1つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコードを搬送または記憶するために使用でき、コンピュータによってアクセスできる、任意の他の媒体を含むことができる。また、どんな接続でもコンピュータ可読媒体と呼ばれることがある。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
上記の開示は、例示的な態様および/または実施形態について論じたが、添付の特許請求の範囲によって定義された説明した態様および/または実施形態の範囲から逸脱することなく、様々な変更および改変を本明細書で行うことができることに留意されたい。さらに、説明した態様および/または実施形態の要素は、単数形で説明または請求されていることがあるが、単数形に限定することが明示的に述べられていない限り、複数形が企図される。さらに、任意の態様および/または実施形態の全部または一部は、別段の規定がない限り、任意の他の態様および/または実施形態の全部または一部とともに利用できる。
【符号の説明】
【００６３】
100  システム
100  ワイヤレス通信システム
102  基地局
104  アンテナ
106  アンテナ
108  アンテナ
110  アンテナ
112  アンテナ
114  アンテナ
116  モバイルデバイス
118  順方向リンク
120  逆方向リンク
122  モバイルデバイス
124  順方向リンク
126  逆方向リンク
200  MIMOシステム
210  送信機システム
212  データソース
214  送信機(TＸ)データプロセッサ
220  TＸ MIMOプロセッサ
222  送信機
222  受信機
222a  送信機(TMTR)
222t  送信機(TMTR)
224  アンテナ
224a  アンテナ
224t  アンテナ
230  プロセッサ
236  データソース
238  TXデータプロセッサ
240  復調器
242  RXデータプロセッサ
250  受信機システム
252  アンテナ
252a  アンテナ
252r  アンテナ
254  受信機
254a  受信機(RCVR)
254a  送信機
254r  受信機(RCVR)
254r  送信機
260  RXデータプロセッサ
270  プロセッサ
280  変調器
300  ワイヤレス通信システム
300  システム
302  セル
302a  マクロセル
302g  マクロセル
304  アクセスポイント(AP)
304a  AP
304g  AP
306  アクセス端末(AT)
306a  AT
306k  AT
400  ワイヤレス通信システム
402  無線ネットワークコントローラ(RNC)
404  基地局
406  モバイルデバイス
408  基準構成要素
410  動的割振り構成要素
412  負荷構成要素
414  チャネル構成要素
502  無線ネットワークコントローラメッセージング構成要素
502  RNCメッセージング構成要素
504  物理レイヤメッセージング構成要素
900  システム
902  人工知能構成要素
1000  システム
1002  論理グルーピング
1004  ネットワーク基準のセットを判断するためのモジュール
1006  ネットワーク基準の上記セットに基づいてアップリンクキャリアを割り振るためのモジュール
1008  モバイルデバイスに上記アップリンクキャリア割振りを通知するためのモジュール
1010  メモリ
【図１】
0005274675.tif 000002
【図２】
0005274675.tif 000003
【図３】
0005274675.tif 000004
【図４】
0005274675.tif 000005
【図５】
0005274675.tif 000006
【図６】
0005274675.tif 000007
【図７】
0005274675.tif 000008
【図８】
0005274675.tif 000009
【図９】
0005274675.tif 000010
【図１０】
0005274675.tif 000011